(57)【要約】【課題】複数のネットワークが接続されたシステムにおいて、異なるネットワークに属している照明機器について１つのスイッチ装置から制御を行う。【解決手段】照明負荷の点灯消灯制御を行う照明コントローラである伝送コントローラ３１１〜３３１と；伝送コントローラ３１１〜３３１に伝送線を介して接続される複数の制御端末器３１１１〜３３１ｎと；照明コントローラ３１１が接続された複数のネットワーク１〜３と；異なるネットワーク間を接続するルータ１１〜１３と；複数のネットワーク１〜３のいずれかに接続され、異なるネットワークに属する制御端末器に対する制御及び制御結果収集の設定が可能なスイッチを備えたスイッチ装置である照明アナンシエータ２０とを具備する。【選択図】図１
2011204558.tif 000002
【特許請求の範囲】
【請求項１】
照明負荷の点灯消灯制御を行う照明コントローラと；
照明コントローラに伝送線を介して接続される複数の制御端末器と；
照明コントローラが接続された複数のネットワークと；
異なるネットワーク間を接続するルータと；
複数のネットワークのいずれかに接続され、異なるネットワークに属する制御端末器に対する制御及び制御結果収集の設定が可能なスイッチを備えたスイッチ装置と；
を具備することを特徴とする照明制御システム。
【請求項２】
複数のネットワークのいずれかに接続され、各部の監視制御を行う中央監視装置と；
所要のネットワークに接続され、照明負荷以外の電気機器を制御する機器制御器と；
機器制御器とルータとに接続される接続機器と
を具備することを特徴とする請求項１に記載の照明制御システム。
【発明の詳細な説明】
【技術分野】
【０００１】
この発明は、例えばビルやホテルなどのような施設に、照明器具を始めとする各種の電気機器がフロア或いは大きな部屋に複数設置されているような場合に、照明制御を好適に行うことが可能な照明制御システムに関するものである。
【背景技術】
【０００２】
従来、上記のような施設においては、１つのフロア或いは大きな１つ部屋に対して、ネットワークが設けられ、このネットワーク内において照明制御がなされるものであった。
【０００３】
例えば、所定の通信プロトコルに基づいてデータ伝送を行う汎用ネットワークを介して中央監視装置に接続される複数の照明コントローラと、前記複数の照明コントローラに伝送線を介して接続される制御端末器と、前記汎用ネットワークを介して複数の照明コントローラに対してそれぞれの照明コントローラに接続された制御端末器を同時に制御する信号を送信するとともに、複数の照明コントローラから監視情報データを受信するスイッチ装置とを具備した照明制御システムが知られている（特許文献１参照）。
【０００４】
上記のようなネットワークを複数備えている施設では、所望のネットワークに属しているスイッチ装置から制御を行わない限り、所望の照明負荷に対する制御を行うことができない。
【０００５】
また、施設を一つのネットワークにより接続した構成とすることも考えられるが、照明機器が莫大となり、ネットワークのトラフィックに輻輳が生じる危険性が生じる。特に、照明機器のみをネットワークに接続しているとは限らず、空調設備の機器やセキュリティ関係の機器が接続されるようになると、適切なトラフィックが保たれないことも考えられる。
【先行技術文献】
【特許文献】
【０００６】
【特許文献１】特開２００８−１６６１５１号公報
【発明の概要】
【発明が解決しようとする課題】
【０００７】
本発明は、上記のような照明制御システムにおける現状に鑑みてなされたもので、その目的は、複数のネットワークが接続されたシステムにおいて、異なるネットワークに属している照明機器について１つのスイッチ装置から制御を行うことが可能な照明制御システムを提供することである。また、大規模なシステムとなっても適切なトラフィックを保つことが可能な照明制御システムを提供することを他の目的とする。
【課題を解決するための手段】
【０００８】
本発明に係る照明制御システムは、照明負荷の点灯消灯制御を行う照明コントローラと；照明コントローラに伝送線を介して接続される複数の制御端末器と；照明コントローラが接続された複数のネットワークと；異なるネットワーク間を接続するルータと；複数のネットワークのいずれかに接続され、異なるネットワークに属する制御端末器に対する制御及び制御結果収集の設定が可能なスイッチを備えたスイッチ装置と；を具備することを特徴とする。
【０００９】
ネットワークとしては、イサーネット（登録商標）を用いることができる。プロトコルには、ＴＣＰ／ＩＰ、ＢＡＣｎｅｔ（登録商標）などを用いることができる。スイッチ装置には、複数のスイッチと共に制御結果を表示する表示器が備えられる。スイッチはボタンのように構成されたものの他、画面に設けられたタッチパネルにより構成するものであっても良い。
【００１０】
本発明に係るネットワークシステムは、複数のネットワークのいずれかに接続され、各部の監視制御を行う中央監視装置と；所要のネットワークに接続され、照明負荷以外の電気機器を制御する機器制御器と；機器制御器とルータとに接続される接続機器とを具備することを特徴とする。
【００１１】
照明負荷以外の電気機器としては、空調システムのエアコン、セキュリティ関係の機器の警報機器やカメラなどである。
【発明の効果】
【００１２】
本発明に係る照明制御システムは、複数のネットワークのいずれかに接続され、異なるネットワークに属する制御端末器に対する制御及び制御結果収集の設定が可能なスイッチを備えたスイッチ装置を備えているので、複数のネットワークに属する照明機器を１つのスイッチによる操作を行うことで実現することができ、所望の照明状態を容易に実現することができる。
【００１３】
本発明に係る照明制御システムは、複数のネットワークのいずれかに接続され、各部の監視制御を行う中央監視装置と；所要のネットワークに接続され、照明負荷以外の電気機器を制御する機器制御器と；機器制御器とルータとに接続される接続機器とを具備するので、各ネットワーク間がルータと接続機器により中継されて必要なパケットのみが他のネットワークへ伝送されるので、ネットワークを構成する伝送路のトラフィックを適切な状態とすることができ、通信障害などの不具合を防止することができる。
【図面の簡単な説明】
【００１４】
【図１】本発明に係る照明制御システムの実施例を示す構成図。
【図２】本発明に係る照明制御システムの実施例に用いられている照明アナンシエータの正面図。
【図３】本発明に係る照明制御システムの実施例に用いられている照明アナンシエータのブロック図。
【図４】本発明に係る照明制御システムの実施例に用いられている照明アナンシエータの記憶部に記憶されているデータの一例を示す図。
【発明を実施するための形態】
【００１５】
以下、図面を参照して本発明に係る照明制御システムの実施例を説明する。各図において、同一の構成要素には、同一の符号を付して重複する説明を省略する。図１には、照明制御システムの実施形態の構成を示す。このシステムは、複数階のビルに適用された例を示している。実際には、４階以上あっても良いが、ここでは、３階までを示している。
【００１６】
ネットワーク１、２、３がルータ１１、１２によって接続され、ネットワーク３にはルータ１３が接続されさらに別のネットワーク（図示省略）が接続されている。ネットワーク１には、中央監視装置１０、スイッチ装置である照明アナンシエータ２０、接続機器である照明ゲートウエイ３１、空調ゲートウエイ４１、セキュリティゲートウエイ５１が接続されている。
【００１７】
ネットワーク２には、接続機器である照明ゲートウエイ３２、空調ゲートウエイ４２、セキュリティゲートウエイ５２が接続されている。ネットワーク３には、接続機器である照明ゲートウエイ３３、空調ゲートウエイ４３、セキュリティゲートウエイ５３が接続されている。
【００１８】
照明ゲートウエイ３１、３２、３３に接続される装置の構成、空調ゲートウエイ４１、４２、４３に接続される装置の構成、セキュリティゲートウエイ５１、５２、５３に接続される装置の構成は、例えば次のようである。
【００１９】
照明ゲートウエイ３１には、照明コントローラとしての伝送コントローラ３１１、３１２が接続され、伝送コントローラ３１１には伝送線を介して制御端末器３１１１〜３１１ｎが接続され、伝送コントローラ３１２には伝送線を介して制御端末器３１２１〜３１２ｎが接続される。制御端末器３１１１〜３１１ｎは、照明負荷４の点灯消灯制御を行う。照明ゲートウエイ３２には、伝送コントローラ３２１が接続され、伝送コントローラ３２１には、伝送線を介して制御端末器３２１１〜３２１ｎが接続される。制御端末器３２１１〜３２１ｎは、照明負荷４の点灯消灯制御を行う。照明ゲートウエイ３３には、伝送コントローラ３３１が接続され、伝送コントローラ３３１には、伝送線を介して制御端末器３３１１〜３３１ｎが接続される。伝送コントローラ３３１は、制御端末器３３１１〜３３１ｎを制御して照明負荷４の点灯消灯制御を行う。
【００２０】
空調ゲートウエイ４１には、伝送コントローラ４１１が接続され、伝送コントローラ４１１には、伝送線を介して空調機器４１１１〜４１１ｍが接続される。空調ゲートウエイ４２には、伝送コントローラ４２１が接続され、伝送コントローラ４２１には、伝送線を介して空調機器４２１１〜４２１ｍが接続される。空調ゲートウエイ４３には、伝送コントローラ４３１が接続され、伝送コントローラ４２１には、伝送線を介して空調機器４２１１〜４２１ｍが接続される。
【００２１】
セキュリティゲートウエイ５１には、伝送コントローラ５１１が接続され、伝送コントローラ５１１には、伝送線を介してセキュリティ機器５１１１〜５１１ｊが接続される。セキュリティゲートウエイ５２には、伝送コントローラ５２１が接続され、伝送コントローラ５２１には、伝送線を介してセキュリティ機器５２１１〜５２１ｊが接続される。セキュリティゲートウエイ５３には、伝送コントローラ５３１が接続され、伝送コントローラ５３１には、伝送線を介してセキュリティ機器５３１１〜５３１ｊが接続される。
【００２２】
中央監視装置１０は、このシステムの全ての装置の制御と監視を行うものであり、コンピュータにより構成することができる。照明アナンシエータ２０は、図２に示すように表面パネルには、複数の制御対象ボタン２１−１、２１−２、・・・、２１−ｉが並べて設けられており、各制御対象ボタン２１−１、２１−２、・・・、２１−ｉには、操作用のスイッチ２１−１ａ、２１−２ａ、・・・、２１−ｉａと表示器２１−１ｂ、２１−２ｂ、・・・、２１−ｉｂが設けられている。操作用のスイッチ２１−１ａ、２１−２ａ、・・・、２１−ｉａにより対応する照明負荷４の点灯消灯を指示入力することができ、表示器２１−１ｂ、２１−２ｂ、・・・、２１−ｉｂには制御結果である点灯或いは消灯が表示される。
【００２３】
照明アナンシエータ２０は図３に示すように、制御部２２にスイッチ２１−１ａ、２１−２ａ、・・・、２１−ｉａと表示器２１−１ｂ、２１−２ｂ、・・・、２１−ｉｂが接続され、更に上記伝送部２３及び記憶部２４が接続された構成を有する。記憶部２４には、各スイッチ２１−１ａ、２１−２ａ、・・・、２１−ｉａに対応して制御する対象である制御端末器の識別情報（ＩＤ）とこの制御端末器が接続されている伝送コントローラのネットワークアドレスが記憶される。ここで、各スイッチ２１−１ａ、２１−２ａ、・・・、２１−ｉａには、異なるネットワークに属する制御端末器に対する制御及び制御結果収集の設定が可能である。
【００２４】
スイッチ２１−１ａ、２１−２ａ、・・・、２１−ｉａのいずれかが操作された場合には、制御部２２は、記憶部２４内の上記情報を参照して、ネットワークアドレスと制御対象の識別情報（ＩＤ）、更に、制御内容（点灯消灯）を含む情報を伝送部２３へ与えてパケットを作成させてネットワーク１へ伝送させる。
【００２５】
また制御部２２は、伝送部２３により取り込まれたパケットの制御結果の情報を受けると、送られてきた制御対象のＩＤと発信元ネットワークアドレスに基づき記憶部２４の情報をサーチして、スイッチ２１−１ａ、２１−２ａ、・・・、２１−ｉａ中の対応するスイッチを特定し、これに対応する表示器に制御結果を表示する。
【００２６】
以上のように構成された照明制御システムにおいて、ネットワークアドレスが図１に示すように設定されているものとする。また、記憶部２４には、スイッチ２１−１ａに対応して、制御端末器３１２１、３２１１、３３１１の識別情報（ＩＤ）と、伝送コントローラ３１２、３２１、３３１のネットワークアドレス（１９２．１６８．１．１２）、（１９２．１６８．２．２１）、（１９２．１６８．３．３１）が図４に示すように記憶されているものとする。
【００２７】
この場合において、上記スイッチ２１−１ａが操作された場合には、制御部２２は上記記憶部の情報を参照して、宛先のネットワークアドレス（１９２．１６８．１．１２）、（１９２．１６８．２．２１）、（１９２．１６８．３．３１）を有する３つのパケットを伝送部２３から送出させる。
【００２８】
制御部２２は伝送部２３を制御して、宛先ネットワークアドレス（１９２．１６８．１．１２）のパケットには制御端末器３１２１の制御情報を含ませ、宛先ネットワークアドレス（１９２．１６８．２．２１）のパケットには制御端末器３２１１の制御情報を含ませ、宛先ネットワークアドレス（１９２．１６８．３．３１）のパケットには制御端末器３３１１の制御情報を含ませる。
【００２９】
上記３つのパケットがネットワーク１に送出させると、宛先ネットワークアドレス（１９２．１６８．１．１２）のパケットを、照明ゲートウエイ３１が自らに接続されている伝送コントローラ３１２のアドレスであることを検出して取り込み、伝送コントローラ３１２へ送信する。これにより、伝送コントローラ３１２がこのパケットを取り込み、含まれている制御端末器３１２１の制御情報を検出して制御端末器３１２１へ点灯消灯の制御情報を送る。この結果、制御端末器３１２１の照明負荷４の照明制御がなされる。伝送コントローラ３１２は、制御結果を宛先が照明アナンシエータ２０であるパケットにして照明ゲートウエイ３１へ送る。
【００３０】
宛先ネットワークアドレス（１９２．１６８．２．２１）のパケットと宛先ネットワークアドレス（１９２．１６８．３．３１）のパケットについては、ルータ１１が当該ネットワーク１外のアドレスであることをルーティングテーブルにより判定して、ネットワーク２側へ送出する。
【００３１】
上記２つのパケットがネットワーク２に送られると、宛先ネットワークアドレス（１９２．１６８．２．２１）のパケットを、照明ゲートウエイ３２が自らに接続されている伝送コントローラ３２１のアドレスであることを検出してから取り込み、伝送コントローラ３２１へ送信する。これにより、伝送コントローラ３２１がこのパケットを取り込み、含まれている制御端末器３２１１の制御情報を検出して制御端末器３２１１へ点灯消灯の制御情報を送る。この結果、制御端末器３２１１の照明負荷４の照明制御がなされる。伝送コントローラ３２１は、制御結果を宛先が照明アナンシエータ２０であるパケットにして照明ゲートウエイ３１へ送る。
【００３２】
宛先ネットワークアドレス（１９２．１６８．３．３１）のパケットについては、ルータ１２が当該ネットワーク２外のアドレスであることをルーティングテーブルにより判定して、ネットワーク３側へ送出する。
【００３３】
このパケットがネットワーク３に送られると、宛先ネットワークアドレス（１９２．１６８．３．３１）のパケットを、照明ゲートウエイ３３が自らに接続されている伝送コントローラ３３１のアドレスであることを検出してから取り込み、伝送コントローラ３３１へ送信する。これにより、伝送コントローラ３３１がこのパケットを取り込み、含まれている制御端末器３３１１の制御情報を検出して制御端末器３３１１へ点灯消灯の制御情報を送る。この結果、制御端末器３３１１の照明負荷４の照明制御がなされる。伝送コントローラ３３１は、制御結果を宛先が照明アナンシエータ２０であるパケットにして照明ゲートウエイ３１へ送る。
【００３４】
伝送コントローラ３１２、３２１、３３１から返送されたパケットは、伝送コントローラ３１２、３２１、３３１へ到達したパケットとは逆の経路を介して照明アナンシエータ２０へ到来する。照明アナンシエータ２０の制御部２２は、伝送部２３を介して制御結果のパケットを受け取り、制御結果に応じて表示器２１−１ｂの表示制御を行う。例えば、点灯の制御を行った場合に、全ての伝送コントローラから点灯制御が適切に行われた旨の制御結果を得たときのみに点灯を示す表示制御を行い、制御不成功があれば制御不成功或いは消灯を示す表示制御を行う。
【００３５】
本実施形態においては、空調ゲートウエイ４１〜４３、セキュリティゲートウエイ５１〜５３に接続された機器において、機器相互の通信を行う場合の制御情報（パケット）は、空調ゲートウエイ４１〜４３やセキュリティゲートウエイ５１〜５３を超えてネットワーク１〜３へ送出されることなく、ネットワーク１〜３のトラフィックを過大にすることはない。
【００３６】
また、中央監視装置１０は、このシステムの全ての装置の制御と監視を行うことができるものであり、必要な場合にルータ１１〜１３、照明ゲートウエイ３１〜３３、空調ゲートウエイ４１〜４３、セキュリティゲートウエイ５１〜５３を介して対応する伝送コントローラへ制御情報を送り、制御を行う。
【００３７】
上記の制御の結果情報は、該当伝送コントローラから中央監視装置１０のネットワークアドレスを宛先アドレスとしてパケット化して送られ、ルータ１１〜１３、照明ゲートウエイ３１〜３３、空調ゲートウエイ４１〜４３、セキュリティゲートウエイ５１〜５３のパケット転送を受けて中央監視装置１０により受信される。
【００３８】
このように、ネットワーク１〜３を介して照明ゲートウエイ３１〜３３、空調ゲートウエイ４１〜４３、セキュリティゲートウエイ５１〜５３に接続された機器へのパケット送信と、この機器からの情報収集を適切に行うことができるシステムとなっている。
【符号の説明】
【００３９】
３１１-３３１  照明コントローラ
１〜３  ネットワーク
１１〜１３  ルータ
３１〜３３  照明ゲートウエイ
４１〜４３  空調ゲートウエイ
５１〜５３  セキュリティゲートウエイ
４  照明負荷
１０  中央監視装置
２０  照明アナンシエータ
２２  制御部
２３  伝送部
２４  記憶部
【図１】
2011204558.tif 000003
【図２】
2011204558.tif 000004
【図３】
2011204558.tif 000005
【図４】
2011204558.tif 000006